(57)【要約】【課題】定められた運行経路と運行時刻に基づいて道路上を移動する車両から送信される運行データを取得し、これに基づいて経路案内用データを作成する経路案内用データ作成装置を提供する。【解決手段】  経路案内用データ作成装置１０に、所定の期間にわたって前記運行データを取得する運行データ取得手段１１と、運行データから所定の入力フォーマットに従ったデータが入力され、運行経路ごと、車両ＩＤごとに各停留所における到着時刻と発車時刻とを求め、所定の出力フォーマットに従って出力する運行データ処理手段１２と、運行データ処理手段から出力される各停留所における車両ごとの発車時刻と到着時刻を含む経路案内用データを記憶する経路案内用データベース２０とを備えた。【選択図】      図２
2005164474.tif 000002
【特許請求の範囲】
【請求項１】
定められた運行経路と運行時刻に基づいて道路上を移動する車両から送信される運行データを取得し、取得した所定の運行データに基づいて経路案内用データを作成する経路案内用データ作成装置であって、
前記経路案内用データ作成装置は、所定の期間にわたって前記運行データを取得する運行データ取得手段と、
前記運行データから所定の入力フォーマットに従ったデータが入力され、運行経路ごと、車両ＩＤごとに各停留所における到着時刻と発車時刻とを求め、所定の出力フォーマットに従って出力する運行データ処理手段と、
前記運行データ処理手段から出力される各停留所における車両ごとの発車時刻と到着時刻を含む経路案内用データを記憶する経路案内用データベースとを備えたことを特徴とする経路案内用データ作成装置。
【請求項２】
前記経路案内用データ作成装置は、各経路の始発から最終までの車両に関して前記運行データを取得することを特徴とする請求項１に記載の経路案内用データ作成装置。
【請求項３】
前記入力フォーマットは、車両ＩＤと、路線コードと、次の停留所コードと、直前の停留所の到着時刻と、直前の停留所の発車時刻とを含むことを特徴とする請求項１または２に記載の経路案内用データ作成装置。
【請求項４】
前記出力フォーマットは、車両ＩＤと、路線コードと、発停留所コードと、発車時刻と、着停留所コードと、到着時刻とを含むことを特徴とする請求項１または２に記載の経路案内用データ作成装置。
【請求項５】
前記経路案内用データベースには、運行データを取得した取得時の条件によって前記経路案内データを区分して記憶するようになしたことを特徴とする請求項１または２に記載の経路案内用データ作成装置。
【請求項６】
前記運行データを取得した取得時の条件は、天候および／または曜日、あるいは、日付であることを特徴とする請求項５に記載の経路案内用データ作成装置。
【請求項７】
前記運行データ処理手段は、取得した運行データを車両ＩＤ順、路線コード順にソートした後、発車時刻順にソートし、停留所区間ごとの発時刻、着時刻を算出することを特徴とする請求項１または２に記載の経路案内データ作成装置。
【請求項８】
定められた運行経路と運行時刻に基づいて道路上を移動する車両から送信される運行データを取得し、取得した所定の運行データに基づいて経路案内用データを作成する経路案内用データ作成方法であって、
道路上を移動する車両から送信される運行データを所定の期間にわたって取得するステップと、
取得した運行データから所定の入力フォーマットに従ったデータを運行処理手段に入力するステップと、
前記入力された運行データから、車両ＩＤごとに各停留所における到着時刻と発車時刻とを求めるステップと、
車両ＩＤごとに求めた各停留所における到着時刻と発車時刻とを所定の出力フォーマットに従って出力するステップと、
前記運行データ処理手段から出力される各停留所における車両ごとの発車時刻と到着時刻を含む経路案内用データを経路案内用データベースに記憶するステップと、
からなることを特徴とする経路案内用データ作成方法。
【請求項９】
前記運行データを取得するステップは、各経路の始発から最終までの車両に関して前記運行データを取得するステップからなることを特徴とする請求項８に記載の経路案内用データ作成方法。
【請求項１０】
前記入力フォーマットは、車両ＩＤと、路線コードと、次の停留所コードと、直前の停留所の到着時刻と、直前の停留所の発車時刻とを含むことを特徴とする請求項８または９に記載の経路案内用データ作成方法。
【請求項１１】
前記出力フォーマットは、車両ＩＤと、路線コードと、発停留所コードと、発車時刻と、着停留所コードと、到着時刻とを含むことを特徴とする請求項８または９に記載の経路案内用データ作成方法。
【請求項１２】
前記経路案内用データベースに記憶するステップは、運行データを取得した取得時の条件によって前記経路案内データを区分して記憶するステップを含むことを特徴とする請求項８または９に記載の経路案内用データ作成装置。
【請求項１３】
前記運行データを取得した取得時の条件は、天候および／または曜日、あるいは、日付であることを特徴とする請求項１２に記載の経路案内用データ作成方法。
【請求項１４】
前記入力された運行データから、車両ＩＤごとに各停留所における到着時刻と発車時刻とを求めるステップは、取得した運行データを車両ＩＤ順、路線コード順にソートした後、発車時刻順にソートし、停留所区間ごとの発時刻、着時刻を算出するステップを含むことを特徴とする請求項８または９に記載の経路案内データ作成方法。
【請求項１５】
定められた運行経路と運行時刻に基づいて道路上を移動する車両の経路案内用データを記憶した経路案内用データベースを備え、携帯端末からの経路案内要求に対して前記データベースに記憶された経路案内用データに基づいて経路案内を配信する配信手段を有する経路案内配信装置であって、
前記経路案内用データベースは、道路上を移動する車両から所定の期間にわたって取得した運行データに基づいて算出した運行経路ごと、車両ＩＤごとに各停留所における到着時刻と発車時刻とを経路案内用データとして記憶していることを特徴とする経路案内配信装置。
【請求項１６】
前記経路案内用データベースは、道路上を移動する始発から最終までの各車両から取得した運行データに基づいて算出した運行経路ごと、車両ＩＤごとに各停留所における到着時刻と発車時刻とを経路案内用データとして記憶していることを特徴とする請求項１５に記載の経路案内配信装置。
【請求項１７】
前記経路案内用データベースには、運行データを取得した取得時の条件によって前記経路案内データを区分して記憶していることを特徴とする請求項１６に記載の経路案内配信装置。
【請求項１８】
前記運行データを取得した取得時の条件は、天候および／または曜日、あるいは、日付であることを特徴とする請求項１７に記載の経路案内用データ作成装置。
【請求項１９】
前記配信手段は、携帯端末からの経路案内要求があった時の条件に対応する経路案内用データを前記経路案内用データベースから取得して作成した経路案内を配信することを特徴とする請求項１８に記載の経路案内配信装置。
【発明の詳細な説明】
【技術分野】
【０００１】
本発明は、定められた運行経路と運行時刻に基づいて道路上を移動する車両、例えば路線バスなどの時刻表である経路案内用データを作成する経路案内用データ作成装置と、経路案内用データ作成装置によって作成した経路案内用データを用いて経路案内を行う経路案内配信装置に関するものであり、特に、車両の実際の運行データを取得して経路案内用データを作成する経路案内用データ作成装置ならびにそのプログラムおよび記憶媒体と、経路案内用データ作成装置によって作成した経路案内用データに基づいて経路案内を配信するようにした経路案内配信装置に関する。
【背景技術】
【０００２】
従来、見知らぬ土地において目的地となる場所を訪れる場合、地図帳等を頼りに当該地図に描かれた道路やランドマーク及び住所を確認しながら到達していた。また、カーナビゲーションシステム（以後単にカーナビと言う）を搭載した自動車においては、該カーナビを起動して目的地を入力することによりナビゲーションシステムからモニタ画面に表示される案内や音声出力される案内（ナビゲーション情報）を得ながら目的地に到達していた。
【０００３】
上記カーナビの動作原理はＧＰＳによるものであり、地球上を飛行している複数のＧＰＳ衛星から送信されるＧＰＳ信号をＧＰＳアンテナで受信し、該ＧＰＳ信号に含まれる衛星位置や衛星と受信機間の距離情報及び時計情報等を解析して位置の特定化を行うものである。該複数のＧＰＳ衛星の個数は少なくとも４個以上必要である。ＧＰＳの単独測位精度は一般的に１０ｍ強であるが、ＤＧＰＳ（Differential GPS：ディファレンシャルＧＰＳ）を採用することにより５ｍ以下に向上する。
【０００４】
近年、携帯電話、ＰＨＳ等の携帯通信端末機器の性能は飛躍的に向上し、また、多機能化が進んでいる。特に通話機能の他にデータ通信機能が強化され、ユーザに対してインターネットを介した種々のデータ通信サービスが提供されている。ナビゲーションサービスもその１つであり、自動車の運転者のみならず携帯電話ユーザに対して現在位置から目的地までの経路案内を提供する試みがなされ始めている。
【０００５】
例えば、本出願人は既に下記特許文献１に携帯電話を端末として用いたナビゲーションシステムを開示した。このナビゲーションシステムは、図８に示すように、移動体通信網２に接続される携帯端末（携帯電話）１とデータ通信サービスセンター（情報配信コンピュータシステム）３とから構成され、携帯端末１はデータ通信サービスセンター３と接続して所望のデータ通信サービスを受けるものである。携帯端末１が携帯電話、ＰＨＳである場合には移動体通信網２を経由して移動体通信基地局、電話回線網を通して所望の相手方（固定電話、携帯電話、ＰＨＳなど）と通話することができる。データ通信サービスセンター３は以下により携帯端末１の要求に応じて経路のナビゲーションサービスを行うように構成されている。
【０００６】
すなわち、携帯端末１から出発地と目的地の位置情報を含む経路探索要求が発せられると、データ通信サービスセンター３の情報配信コンピュータシステムは、蓄積手段に蓄積された道路データを用いて出発地から目的地までを結ぶ最適経路を探索し、探索した経路データを案内経路データとして蓄積手段に一時記憶する。携帯端末１から、位置座標と案内経路を指定した表示地図情報が要求されると、データ通信サービスセンター３の情報配信コンピュータシステムは、蓄積手段から指定された位置座標周辺のベクトル形式の地図表示用の地図データと、指定された案内経路データを読み出し、案内経路データを特定色で道路を描画するためのベクトルデータに変え、地図データに組み込んだ後、要求元の携帯端末１宛に送信するものである。
【０００７】
携帯端末１には、図示されていないが、移動に伴って現在位置を測位するためのＧＰＳ受信機が備えられており、所定の周期でＧＰＳ測位を行っている。携帯端末１は、ＧＰＳ測位の結果表示地図情報に不足が生じるとデータ通信サービスセンター３の情報配信コンピュータシステムに表示地図情報の要求を出す。また、データ通信サービスセンター３の情報配信コンピュータシステムには蓄積手段が設けられており、道路データ（地図データ）や地図上の各所の建物等のランドマーク、交差点名、道路名などのデータが蓄積されている。これらのデータはインターネット網４を介して地図の配信を行う情報配信コンピュータシステム５、６等から最新のデータを取得してメンテナンスされる。
【０００８】
ところで、上記のようなナビゲーションシステムにおいて、路線バスなどのように定められた運行経路と運行時刻に基づいて道路上を移動する車両の経路案内をする場合には、列車や電車のような時刻表が存在しておらず、経路案内の基礎となる経路案内用データ（時刻表データ）そのものが得られなかった。例えば、路線バスの停留所には図９のような発車予定表（運行予定表）が掲示されている。この発車予定表は、停留所毎の発車時刻を表示したものであって広義の時刻表ではあるが、ある停留所を何時何分に出発した車両（バス）が次の停留所における何時何分発の車両（バス）かというリンクを示すデータが存在しないため、経路案内用のデータとして使用できるものではなかった。
【０００９】
仮に、鉄道の時刻表のようなものが存在したとしても、道路上を運行する路線バスのような移動体においては、道路事情（渋滞）や天候（雨天など）により停留所間の運行は予定通りにならず、各停留所に掲示される予定表はおよその目安としてしか用をなさないという事情があり、掲示された予定表に基づいた時刻表を作成しても現実の運行時刻とはかけ離れたものになり経路案内用のデータとして使用できるものではない。
【００１０】
このような不便さを解消するために、実際に運行している車両から無線などの手段により運行状況を示すデータ（どの停留所を何時何分に発車したかという情報、各車両の現在位置の情報など）を収集して、次の停留所に予想到着時刻を表示したり、どの区間に運行中の車両があるかを停留所毎の路線図上に表示したり、携帯電話やＣＡＴＶ受像機にこれを配信することにより利用者の便を図る試みがなされている。
【００１１】
例えば、下記の特許文献２には、バスの接近情報表示方法および装置が開示されている。この特許文献２に開示された表示方法および装置は、バス車両の位置情報を、バス車両に備えられた無線送信機によりバスロケーションセンター局に収集し、その情報をバス停に伝送するとともに、ＣＡＴＶ局を通じて各利用者宅へ伝送し、バス停では、該情報に基づいて路線系統ごとのバス車両の接近を検知して表示を行い、各利用者宅では、設置されたデータ送受信機にて該情報を受信して表示装置に表示するようにしたものである。
【００１２】
また、下記の特許文献３には、バス停留所システムが開示されている。この特許文献３に開示されたバス停留所システムは、ＩＤ記憶部でバスのＩＤ、停留所における予定発車時刻、前の停留所における予定発車時刻を、ＩＤに対応させて予め記憶し、受信部でバスが前の停留所を発車した時刻とバスのＩＤとを受信し、制御部でバスが前の停留所を発車した時刻と当該バスのＩＤに対応する予定発車時刻及び前の停留所における予定発車時刻に基づいて予想発車時刻を算出して表示部に表示させる停留所を有するバス時刻表示システム及びその制御方法としたものである。
【００１３】
車両から運行データを収集するための方法としては、種々の方法が考慮あるいは実現されており、例えば、停留所の路面等にセンサを設置し、停留所に到着した車両のＩＤを読取って到着時刻を無線通信で運行管理センターに収集する方法、運転手のアナウンスを無線通信で運行管理センターに収集する方法、車両に搭載したＧＰＳ装置により各車両の現在位置を収集する方法などがある。
【００１４】
【特許文献１】特開２００３−２１４８６０号公報（図１）
【特許文献２】特開平１１−１８５１９７号公報（図１）
【特許文献３】特開平７−３２０１９８号公報（図５）
【発明の開示】
【発明が解決しようとする課題】
【００１５】
しかしながら、上記特許文献２、３に開示されたシステムは、何れも実際に運行している車両から無線位置情報や運行データ（停留所毎の到着時刻、発車時刻）を収集して、各停留所の表示装置や利用者のパソコンや携帯電話に、現在の車両の位置、停留所への接近状況、停留所への到着予想時刻などを配信するものではあるが、時刻表データを作成するものではなく、各車両から運行データを収集した時点でのデータ処理に過ぎず、経路案内に使用できるものではなかった。
【００１６】
本願の発明者は、上記の問題点を解消すべく種々検討を重ねた結果、実際に運行中の各車両から位置情報や停留所への到着時刻、発車時刻等の運行データを無線通信により収集し、利用者に車両の位置や停留所への接近情報を提供するサービスが実現されていることに着目し、この運行情報を取得して鉄道等における時刻表に相当する経路案内用データを作成し、データベースに記憶するようになせば前記の問題点を解消できることを見出し本発明を完成するに至ったものである。
【００１７】
すなわち、本発明は前記の問題点を解消することを課題とし、定められた運行経路と運行時刻に基づいて道路上を移動する車両から送信される運行データを取得し、取得した所定の運行データに基づいて経路案内用データを作成する経路案内用データ作成装置ならびに経路案内用データ作成装置によって作成した経路案内用データに基づいて経路案内を配信するようにした経路案内配信装置を提供することを目的とするものである。
【課題を解決するための手段】
【００１８】
前記課題を解決するために、本願の請求項１に係る発明は、定められた運行経路と運行時刻に基づいて道路上を移動する車両から送信される運行データを取得し、取得した所定の運行データに基づいて経路案内用データを作成する経路案内用データ作成装置であって、
前記経路案内用データ作成装置は、所定の期間にわたって前記運行データを取得する運行データ取得手段と、
前記運行データから所定の入力フォーマットに従ったデータが入力され、運行経路ごと、車両ＩＤごとに各停留所における到着時刻と発車時刻とを求め、所定の出力フォーマットに従って出力する運行データ処理手段と、
前記運行データ処理手段から出力される各停留所における車両ごとの発車時刻と到着時刻を含む経路案内用データを記憶する経路案内用データベースとを備えたことを特徴とする。
【００１９】
また、本願の請求項２に係る発明は、請求項１の発明において、経路案内用データ作成装置は、各経路の始発から最終までの車両に関して前記運行データを取得することを特徴とする。
【００２０】
また、本願の請求項３に係る発明は、請求項１または２の発明において、入力フォーマットは、車両ＩＤと、路線コードと、次の停留所コードと、直前の停留所の到着時刻と、直前の停留所の発車時刻とを含むことを特徴とする。
【００２１】
また、本願の請求項４に係る発明は、請求項１または２の発明において、出力フォーマットは、車両ＩＤと、路線コードと、発停留所コードと、発車時刻と、着停留所コードと、到着時刻とを含むことを特徴とする。
【００２２】
また、本願の請求項５に係る発明は、請求項１または２の発明において、経路案内用データベースには、運行データを取得した取得時の条件によって前記経路案内データを区分して記憶するようになしたことを特徴とする。
【００２３】
また、本願の請求項６に係る発明は、請求項５の発明において、運行データを取得した取得時の条件は、天候および／または曜日、あるいは、日付であることを特徴とする。
【００２４】
また、本願の請求項７に係る発明は、請求項１または２の発明において、運行データ処理手段は、取得した運行データを車両ＩＤ順、路線コード順にソートした後、発車時刻順にソートし、停留所区間ごとの発時刻、着時刻を算出することを特徴とする。
【００２５】
また、本願の請求項８に係る発明は、定められた運行経路と運行時刻に基づいて道路上を移動する車両から送信される運行データを取得し、取得した所定の運行データに基づいて経路案内用データを作成する経路案内用データ作成方法であって、
道路上を移動する車両から送信される運行データを所定の期間にわたって取得するステップと、
取得した運行データから所定の入力フォーマットに従ったデータを運行処理手段に入力するステップと、
前記入力された運行データから、車両ＩＤごとに各停留所における到着時刻と発車時刻とを求めるステップと、
車両ＩＤごとに求めた各停留所における到着時刻と発車時刻とを所定の出力フォーマットに従って出力するステップと、
前記運行データ処理手段から出力される各停留所における車両ごとの発車時刻と到着時刻を含む経路案内用データを経路案内用データベースに記憶するステップと、
からなることを特徴とする。
【００２６】
また、本願の請求項９に係る発明は、請求項８の発明において、運行データを取得するステップは、各経路の始発から最終までの車両に関して前記運行データを取得するステップからなることを特徴とする。
【００２７】
また、本願の請求項１０に係る発明は、請求項８または９の発明において、入力フォーマットは、車両ＩＤと、路線コードと、次の停留所コードと、直前の停留所の到着時刻と、直前の停留所の発車時刻とを含むことを特徴とする。
【００２８】
また、本願の請求項１１に係る発明は、請求項８または９の発明において、出力フォーマットは、車両ＩＤと、路線コードと、発停留所コードと、発車時刻と、着停留所コードと、到着時刻とを含むことを特徴とする。
【００２９】
また、本願の請求項１２に係る発明は、請求項８または９の発明において、経路案内用データベースに記憶するステップは、運行データを取得した取得時の条件によって前記経路案内データを区分して記憶するステップを含むことを特徴とする。
【００３０】
また、本願の請求項１３に係る発明は、請求項１２の発明において、運行データを取得した取得時の条件は、天候および／または曜日、あるいは、日付であることを特徴とする。
【００３１】
また、本願の請求項１４に係る発明は、請求項８または９の発明において、入力された運行データから、車両ＩＤごとに各停留所における到着時刻と発車時刻とを求めるステップは、取得した運行データを車両ＩＤ順、路線コード順にソートした後、発車時刻順にソートし、停留所区間ごとの発時刻、着時刻を算出するステップを含むことを特徴とする。
【００３２】
また、本願の請求項１５に係る発明は、定められた運行経路と運行時刻に基づいて道路上を移動する車両の経路案内用データを記憶した経路案内用データベースを備え、携帯端末からの経路案内要求に対して前記データベースに記憶された経路案内用データに基づいて経路案内を配信する配信手段を有する経路案内配信装置であって、
前記経路案内用データベースは、道路上を移動する車両から所定の期間にわたって取得した運行データに基づいて算出した運行経路ごと、車両ＩＤごとに各停留所における到着時刻と発車時刻とを経路案内用データとして記憶していることを特徴とする。
【００３３】
また、本願の請求項１６に係る発明は、請求項１５の発明において、経路案内用データベースは、道路上を移動する始発から最終までの各車両から取得した運行データに基づいて算出した運行経路ごと、車両ＩＤごとに各停留所における到着時刻と発車時刻とを経路案内用データとして記憶していることを特徴とする。
【００３４】
また、本願の請求項１７に係る発明は、請求項１６の発明において、経路案内用データベースには、運行データを取得した取得時の条件によって前記経路案内データを区分して記憶していることを特徴とする。
【００３５】
また、本願の請求項１８に係る発明は、請求項１７の発明において、前記運行データを取得した取得時の条件は、天候および／または曜日、あるいは、日付であることを特徴とする。
【００３６】
また、本願の請求項１９に係る発明は、請求項１８の発明において、前記配信手段は、携帯端末からの経路案内要求があった時の条件に対応する経路案内用データを前記経路案内用データベースから取得して作成した経路案内を配信することを特徴とする。
【発明の効果】
【００３７】
請求項１に係る発明は、経路案内用データ作成装置が、定められた運行経路と運行時刻に基づいて道路上を移動する車両から送信される運行データを所定の期間にわたって取得し、取得した運行データから運行データ処理手段が運行経路ごと、車両ＩＤごとに各停留所における到着時刻と発車時刻とを求め、所定の出力フォーマットに従って出力して、経路案内用データベースに各停留所における車両ごとの発車時刻と到着時刻を含む経路案内用データを記憶するものである。従って、実際の車両の運行データに基づいて、鉄道等における時刻表に相当する経路案内用データを作成することができるようになる。また、このようにして作成した経路案内用データは、実際の運行結果に基づくデータであり、運行データを取得した期間の道路状況や天候等によって運行計画とは異なるが、この経路案内用データを経路案内におけるルート探索に用いた場合、むしろ現実の運行結果に基づいた探索結果を提供することができるようになるという利点を有する。
【００３８】
また、請求項２に係る発明は、請求項１の発明において、経路案内用データ作成装置が、各経路の始発から最終までの車両に関して運行データを取得して経路案内用データを作成するものであるから、１日に運行される全車両の実際の運行データに基づいて経路案内用データを作成することができるから、始発から最終までの経路案内用データを作成することができるようになる。
【００３９】
また、請求項３に係る発明は、請求項１または２の発明において、運行データ取得手段が運行データ処理手段に入力する運行データの入力フォーマットが車両ＩＤと、路線コードと、次の停留所コードと、直前の停留所の到着時刻と、直前の停留所の発車時刻とを含むから、各路線ごと、車両ＩＤごとの各停留所における発車時刻と到着時刻とを求めることができるようになる。
【００４０】
また、請求項４に係る発明は、請求項１または２の発明において、運行データ処理手段が出力する出力フォーマットが車両ＩＤと、路線コードと、発停留所コードと、発車時刻と、着停留所コードと、到着時刻とを含むから、各路線ごと、車両ＩＤごとの各停留所区間における発車時刻、到着時刻を経路案内用データとして作成することができるようになる。
【００４１】
また、請求項５に係る発明は、請求項１または２の発明において、経路案内用データベースには、運行データを取得した取得時の条件によって前記経路案内データを区分して記憶するものであるから、経路案内を行う時点の条件に合致する経路案内用データを選択して用いることができる。例えば、雨天の平日に経路案内を行う場合には、雨天の平日に取得した運行データに基づいて作成した経路案内用データを用いることにより、より実際に近い経路案内のためのデータが提供できるようになる。
【００４２】
また、請求項６に係る発明は、請求項５の発明において、前記運行データを取得した取得時の条件は、天候および／または曜日、あるいは、日付であるから、経路案内を行う時点の条件に合致する経路案内用データを選択して用いることができる。例えば、月末の平日に経路案内を行う場合には、月末の平日に取得した運行データに基づいて作成した経路案内用データを用いることにより、より実際に近い経路案内のためのデータが提供できるようになる。
【００４３】
また、請求項７に係る発明は、請求項１または２の発明において、運行データ処理手段は、取得した運行データを車両ＩＤ順、路線コード順にソートした後、発車時刻順にソートし、停留所区間ごとの発時刻、着時刻を算出するものであるから、人手をかけることなく効率的に経路案内用データを作成することができるようになる。
【００４４】
また、請求項８に係る発明は、定められた運行経路と運行時刻に基づいて道路上を移動する車両から送信される運行データを所定の期間にわたって取得し、取得した運行データから運行データ処理手段が運行経路ごと、車両ＩＤごとに各停留所における到着時刻と発車時刻とを求め、所定の出力フォーマットに従って出力して、経路案内用データベースに各停留所における車両ごとの発車時刻と到着時刻を含む経路案内用データを記憶する経路案内用データの作成方法である。従って、実際の車両の運行データに基づいて、鉄道等における時刻表に相当する経路案内用データを作成することができるようになる。また、このようにして作成した経路案内用データは、実際の運行結果に基づくデータであり、運行データを取得した期間の道路状況や天候等によって運行計画とは異なるが、この経路案内用データを経路案内におけるルート探索に用いた場合、むしろ現実の運行結果に基づいた探索結果を提供することができるようになるという利点を有する。
【００４５】
また、請求項９に係る発明は、請求項８の発明において、経路案内用データ作成装置が、各経路の始発から最終までの車両に関して運行データを取得して経路案内用データを作成するものであるから、１日に運行される全車両の実際の運行データに基づいて経路案内用データを作成することができるから、始発から最終までの経路案内用データを作成することができるようになる。
【００４６】
また、請求項１０に係る発明は、請求項８または９の発明において、運行データ取得手段が運行データ処理手段に入力する運行データの入力フォーマットが車両ＩＤと、路線コードと、次の停留所コードと、直前の停留所の到着時刻と、直前の停留所の発車時刻とを含むから、各路線ごと、車両ＩＤごとの各停留所における発車時刻と到着時刻とを求めることができるようになる。
【００４７】
また、請求項１１に係る発明は、請求項８または９の発明において、運行データ処理手段が出力する出力フォーマットが車両ＩＤと、路線コードと、発停留所コードと、発車時刻と、着停留所コードと、到着時刻とを含むから、各路線ごと、車両ＩＤごとの各停留所区間における発車時刻、到着時刻を経路案内用データとして作成することができるようになる。
【００４８】
また、請求項１２に係る発明は、請求項８または９の発明において、経路案内用データベースには、運行データを取得した取得時の条件によって前記経路案内データを区分して記憶するものであるから、経路案内を行う時点の条件に合致する経路案内用データを選択して用いることができる。例えば、雨天の平日に経路案内を行う場合には、雨天の平日に取得した運行データに基づいて作成した経路案内用データを用いることにより、より実際に近い経路案内のためのデータが提供できるようになる。
【００４９】
また、請求項１３に係る発明は、請求項１２の発明において、前記運行データを取得した取得時の条件は、天候および／または曜日、あるいは、日付であるから、経路案内を行う時点の条件に合致する経路案内用データを選択して用いることができる。例えば、月末の平日に経路案内を行う場合には、月末の平日に取得した運行データに基づいて作成した経路案内用データを用いることにより、より実際に近い経路案内のためのデータが提供できるようになる。
【００５０】
また、請求項１４に係る発明は、請求項８または９の発明において、運行データ処理手段は、取得した運行データを車両ＩＤ順、路線コード順にソートした後、発車時刻順にソートし、停留所区間ごとの発時刻、着時刻を算出するものであるから、人手をかけることなく効率的に経路案内用データを作成することができるようになる。
【００５１】
また、請求項１５に係る発明は、定められた運行経路と運行時刻に基づいて道路上を移動する車両の経路案内用データを記憶した経路案内用データベースを備え、該経路案内用データベースには、道路上を移動する車両から所定の期間にわたって取得した運行データに基づいて算出した運行経路ごと、車両ＩＤごとの各停留所における到着時刻と発車時刻とを経路案内用データとして記憶しており、携帯端末からの経路案内要求に対して該データベースに記憶された経路案内用データに基づいて経路案内を配信するものである。従って、実際の車両の運行データに基づいて、鉄道等における時刻表に相当する経路案内用データを用いた経路案内が可能となり、現実の運行結果に基づいた探索結果を提供することができるようになるという利点を有する。
【００５２】
また、請求項１６に係る発明は、請求項１５の発明において、経路案内用データベースは、道路上を移動する始発から最終までの各車両から取得した運行データに基づいて算出した運行経路ごと、車両ＩＤごとに各停留所における到着時刻と発車時刻とを経路案内用データとして記憶しているから、１日に運行される全車両の実際の運行データに基づいて経路案内用データを作成することができるから、始発から最終までの経路案内用データを提供することができるようになる。
【００５３】
また、請求項１７に係る発明は、請求項１６の発明において、経路案内用データベースには、運行データを取得した取得時の条件によって前記経路案内データを区分して記憶しているから、経路案内を行う時点の条件に合致する経路案内用データを選択して用いることができる。例えば、雨天の平日に経路案内を行う場合には、雨天の平日に取得した運行データに基づいて作成した経路案内用データを用いることにより、より実際に近い経路案内を提供することができるようになる。
【００５４】
また、請求項１８に係る発明は、請求項１７の発明において、運行データを取得した取得時の条件は、天候および／または曜日、あるいは、日付であるから、経路案内を行う時点の条件に合致する経路案内用データを選択して用いることができる。例えば、月末の平日に経路案内を行う場合には、月末の平日に取得した運行データに基づいて作成した経路案内用データを用いることにより、より実際に近い経路案内を提供することができるようになる。
【００５５】
また、請求項１９に係る発明は、請求項１８の発明において、配信手段は、携帯端末からの経路案内要求があった時の条件に対応する経路案内用データを前記経路案内用データベースから取得して作成した経路案内を配信するものであるから、経路案内を行う時点の条件に合致する経路案内用データを選択して用いることができ、より実際に近い経路案内を提供することができるようになる。
【発明を実施するための最良の形態】
【００５６】
以下、本発明の具体例を実施例および図面を用いて詳細に説明する。図１は本発明に係る経路案内データ作成装置およびその周辺装置の構成を示す概略構成図であり、図２は図１の経路案内データ作成装置の構成を示すブロック図、図３は車両から取得した運行データの一例を示す図、図４は運行データ処理部の処理手順を説明するための図であり、ａ）は、運行データをソートした結果を示す図、（ｂ）は、出力フォーマットに基づいて変換して作成した経路案内用データを示す図である。図５は運行データ処理部の処理手順を示すフローチャート、図６は経路案内用データを記憶するデータベースの構成を示す概念図、図７は経路案内配信装置およびその周辺装置の構成を示す概略構成図である。
【実施例】
【００５７】
本発明の実施例にかかる経路案内用データ作成装置１０は、図１に示すように運行データ取得手段１１と運行データ処理手段１２を備えている。路線バスの車両に搭載した無線通信装置３０や停留所に設置したセンサ３１から各車両の運行データ（現在位置や停留所ごとの発着時刻などの情報）が、移動体通信網４１を介して運行管理センター５０のコンピュータシステムに収集されており、運行データ取得手段１１は、インターネット網４２を介して運行管理センター５０のコンピュータシステムからこの運行データを取得する。運行データ取得手段１１により取得した運行データは各路線、始発から最終までの各車両の運行データ、すなわち、１日分の全運行データがそろうと運行データ処理手段１２によって後述する処理がなされ、路線ごと、車両ごとの各停留所における発車時刻、到着時刻を求め、経路案内用データ（時刻表データ）が作成され、データベース２０に記憶される。なお、運行管理センター５０のようなシステムが介在しない場合、経路案内用データ作成装置１０が移動体通信網４１を介して各車両から運行データを直接取得する構成とすることもできる。
【００５８】
図２は経路案内用データ作成装置１０の構成を示す図である。経路案内用データ作成装置１０はマイクロコンピュータなどのＣＰＵで構成される制御手段１０１を有しており、制御手段１０１と内部バス１０２を介して運行データ取得手段１１、運行データ処理手段１２、一時記憶手段１３、操作入力手段１４、経路案内配信手段１５、データベース（ＤＢ）制御手段１６、入出力インタフェース１７、区分条件テーブル１８、表示手段１９等が接続されている。そして経路案内用データ作成装置１０には経路案内用データを記憶する経路案内用データベース２０が設けられており、運行データ処理手段１２で作成された経路案内用データが記憶され、ユーザからの経路案内要求に対して経路探索し経路案内を配信するサービスに供される。
【００５９】
一時記憶手段１３は運行データ処理手段１２をはじめ各部が処理のためにデータを一時記憶するために使用されるメモリであり、操作入力手段１４はオペレータが経路案内用データ作成装置１０を操作するためのキーボードやマウス等の入力手段であり、表示手段１９は液晶表示装置やＣＲＴディスプレイ等のモニタである。また入出力インタフェース１７は経路案内用データ作成装置１０が外部との間でデータを送受信するためのインタフェースであり、ＤＢ制御手段１６は経路案内用データベース２０にデータを記憶し、あるいは、経路案内用データベース２０から所望のデータを読出すための制御を行う。
【００６０】
区分条件テーブル１８は、運行データを取得した時の天候や曜日、日付などの条件を設定したテーブルであり、経路案内用データは当該経路案内用データを作成するソースとなった運行情報を取得した時の条件（前記の天候や曜日、日付など）に応じて異なったデータベース領域に区分して記憶される。そして、ユーザから経路案内要求があった時の条件を区分条件テーブルで検索し、これと合致する条件下で取得した運行情報に基づいて作成した経路案内用データを経路案内用データベース２０から選択して経路案内に供するものである。
【００６１】
次に、図３〜図４を用いて運行データ処理手段１２により経路案内用データを作成する手順を説明する。運行データ取得手段１１は各路線の各車両から運行管理センター５０に送信される運行データを時系列で取得し、運行データ処理手段１２に入力する。この時の入力データのフォーマットは、車両ＩＤ、路線コード、次の停留所コード、直前の停留所の到着時刻、直前の停留所の発車時刻を含んでおり、次の停留所コードには始発停留所からの停留所数が付加される。これらの入力データが時系列で運行データ処理手段１２に入力され、図３に示すように一時記憶手段１３に記憶される。
【００６２】
車両ＩＤは車両に設置された無線端末のＩＤ、路線コードはバス路線のコードであるが、上りと下りでは別の路線コードが割り当てられている。始発からの停留所数は路線の始発停留所からの停留所数であり、始発停留所は「１」である。次の停留所コードはその路線のバス（車両）が次に停車する停留所の停留所コードである。急行バスが運行される路線において、急行バスが次停車する次の停留所コードは、実際に次にその急行バスが停車する停留所コードである。また、終点の停留所では次の停留所コードはないので特殊なコード、例えば、「９９９９９」を割り当てて終点であることを表す。直前の停留所の到着時刻は直前の停留所に車両が到着した時刻を表し、通過した場合の通過時刻を含む。直前の停留所の発車時刻は直前の停留所を車両が発車した時刻を表し、通過した場合の通過時刻を含む。通過した場合にはその直前の停留所における到着時刻と発車時刻が同時刻となる場合がある。
【００６３】
そして、全路線の始発から最終までの全車両、すなわち、１日分の全車両の運行データが揃うと、運行データ処理手段は以下の手順で処理を行う。
（１）車両ＩＤ順、路線コード順にデータを分離する。
（２）車両ＩＤごとに分離したデータを発車時刻でソートして再結合する。この時深夜２４：００をまたいで運行される車両もあるが、その時刻は、例えば２４：３０というように表現されておりソート処理に問題は生じない。
（３）このデータから各停留所区間ごとの車両ＩＤ、路線コード、発バス停留所コード、発車時刻、着バス停留所コード、到着時刻を順次抽出する。
これが運行データ処理手段の出力データのフォーマットであり、この結果得られる出力データが経路探索に使える時刻表データ（経路案内用データ）となる。なお、（１）におけるデータの分離は、データのソートの概念に含まれるものであり、車両ＩＤごと、路線コードごとのデータをそれぞれのデータの固まりにすることを意味している。車両ＩＤごと、路線コードごとにソートをかけることは車両ＩＤごと、路線コードごとにデータを分離することに等しい。（２）の発車時刻でのソートは、（１）で分離されたデータの固まりに対して行われる。
【００６４】
図４は、上記の処理手順を説明する図であり、（ａ）は、運行データをソートした結果を示す図、（ｂ）は、出力フォーマットに基づいて変換して作成した経路案内用データを示す図である。図４（ａ）のソート結果から図４（ｂ）の出力データに変換する過程は次の通りである。すなわち、最初のデータは図４（ａ）の車両ＩＤ１００１、路線コード３０１の再上段の行にあるように必ず始発停留所のデータである。
【００６５】
車両ＩＤ１００１、路線コード３０１について着目して、図４（ｂ）の出力データの最初の行にある出力データの作成手順を説明する。この行のデータは始発停留所に関するデータである。始発停留所では発バス停コードがないが、次の停留所コードから始発停留所からの停留所数だけ戻った停留コードとすればよい。この場合、次の停留所コードは３０１０２（図４（ａ）の再上段の行のデータ参照）であるから始発からの停留所数「１」だけ戻った３０１０１を採用すればよい。
【００６６】
発時刻は、その発車時刻８：３０：２５である。着バス停コードは次の停留所コード３０１０２を採用する。そして、図４（ａ）の次の行の「次の停留所コード」を参照して上の行の「次の停留所コード」と異なっていたらその行の到着時刻８：３７：００を着時刻として採用する。この処理で路線コード３０１の車両ＩＤ１００１の停留所１区間分のデータが作成できたことになる。もしも、次の行の「次の停留所コード」が異なっていなかったらその車両は急行であることを意味し、順次その次の行の「次の停留所コード」参照する。停車するべき停留所では必ず「次の停留所コード」が変化するのでその行の到着時刻のデータを採用することによって出力データを作成する（図４の矢印Ａを参照）。
【００６７】
この作業を停留所ごとに繰り返せば時刻表データ（経路案内用データ）が作成できる。「次の停留所コード」が「９９９９９」になっていたらそれは終点であるので、路線コード３０１、車両ＩＤ１００１の出力データＴＩＧＬは終了する。この作業を全路線、全車両について繰り返せば実際の車両運行を基づいた経路案内用データの作成が完了する。このようにして作成された経路案内用データは、データベース制御手段１６の制御下で入出力インタフェース１７を介して経路案内用データベース２０に記憶される。
【００６８】
図５は、以上の処理手順を示すフローチャートである。運行データ取得手段１１により１日分の運行データを取得すると、先ず、ステップＳ１０で路線コード、車両コード順にデータを分離する。次に、ステップＳ１１で発車時刻の順にソートする。そして、ステップＳ１２で始発区間についての処理を行う。ここでの処理は、前述したように、始発停留所の発バス停コードを設定し、その発時刻（発車時刻）と、次の停留所コードを着バス停コードとし、その着時刻（到着時刻）を決定する処理である。
【００６９】
次いで、ステップＳ１３で次のデータを参照し、ステップ１４で次のデータの「次の停留所コード」が変化していればステップＳ１５に進み、変化していなければステップＳ１３に戻り、更に次のデータを参照する。「次の停留所コード」が変化している場合、ステップＳ１５においてそのデータの到着時刻を着停留所の着時刻として決定する。そしてステップＳ１６で「次の停留所コード」が終点を示しているか判定し、ＹＥＳ（終点）であればステップＳ１８に進み、ＮＯ（終点でない）であればステップＳ１７に進み、中間区間処理を行い、ステップＳ１３以降の処理を繰り返す。
【００７０】
ステップＳ１６で「次の停留所コード」が終点（コード「９９９９９」）であればステップＳ１８で次のデータ、すなわち、次の路線、または、次の車両ＩＤ（同じ路線コードの異なる車両）の処理に入り、ステップＳ１９でデータ（１日分の運行データ）の終了であれば運行データ処理を終了し、データの終了でなければ、ステップＳ１２に戻り、ステップＳ１９まで、次の路線、または、次の車両ＩＤ（同じ路線コードの異なる車両）の処理を繰り返す。以上の処理によって人手を使用することなく、効率的に経路案内用データ（時刻表）を作成することができる。
【００７１】
このようにして取得した車両の運行データから作成した経路案内用データは、経路案内用データベース２０に記憶され、経路案内装置における経路案内に供される。ところで、道路上を移動する路線バスなどの運行はその日の道路事情によって多く左右されることは周知のとおりであり、その日の天候、曜日、によって異なることは勿論、月末の平日などの特異日には交通量が大きくなり交通渋滞を引き起こすこともよく知られている。従って、実際の車両の運行データに基づいて経路案内用データ（時刻表）を作成しても、運行データを取得した時の条件（天候、曜日、特異日）によって時刻表の内容が大きく異なったものになる可能性が極めて大きい。従って、ユーザからの経路案内要求に対して経路探索を行うためのデータとしてはユーザが経路案内を要求した時の条件を加味した経路案内用データを提供できることが好ましい。
【００７２】
そこで、本発明に係る経路案内用データ作成装置は、車両の運行データを取得した時の条件、例えば、雨天、平日、土日祝日、月末の平日などによって該運行データから作成した経路案内用データを、経路案内用データベース２０を区分して条件ごとに分けて記憶するように構成している。図６はこのような経路案内用データベース２０の構造を示す。図６に示すように、経路案内用データベース２０は、経路案内用データ記憶部が区分条件ごとに分けられており、運行データを取得した時の条件を区分条件として、対応する経路案内用データ記憶部に該運行データから作成した経路案内用データを記憶するように構成されている。
【００７３】
例えば、雨天の平日に取得した運行データに基づいて作成した経路案内用データＡは、区分条件が雨天・平日の区分に対応した経路案内用データ記憶部に記憶されている。雨天の土日祝日、雨天の月末平日、平日、土日祝祭日、月末平日などに取得した運行データに基づいて作成された経路案内用データＢないし経路案内用データＦも同様である。この区分条件は、経路案内用データ作成装置１０の区分条件テーブル１８に記憶されており、作成した経路案内用データを経路案内用データベース２０に記憶する際に、データベース（ＤＢ）制御手段１６によって参照され、所定の領域に経路案内用データが記憶される。また、この区分条件テーブル１８は、図７に示す経路案内配信装置６０にも備えられており、ユーザから経路案内の要求があった場合に、その時の条件に合致する条件下で作成した経路案内用データを参照して、実際の状況により近い経路案内用データによる経路案内を提供することができるようになる。
【００７４】
図７は、本発明の経路案内用データ作成装置１０で作成した経路案内用データを用いてユーザに経路案内を行う経路案内配信装置６０とその周辺装置を含むシステム構成を示す図である。図７において、経路案内配信装置６０は、基本的には図８に示す従来の情報通信サービスセンターの情報通信コンピュータシステムと同様の機能を備えたものであり、本発明に係る経路案内用データ作成装置によって作成した経路案内用データを記憶した経路案内用データベース２０を備えている。そして、携帯端末７０からインターネット網４１を介して送信される経路案内要求に対して、経路案内用データベース２０に記憶されている経路案内用データを参照して経路探索を行い、その結果を経路案内として該携帯端末に配信する配信手段を有している。情報配信コンピュータシステム８０、９０は、地図情報、交通情報その他、経路探索、経路案内に必要な各種のデータをサービスするコンピュータシステムであり、インターネット網４２を介して経路案内配信装置６０はこれらのコンピュータシステムから必要な情報を取得する。また、経路案内配信装置６０は経路案内用データ作成装置１０と一体化することもでき、更に経路案内用デーダベース２０を一体化することもできる。
【産業上の利用可能性】
【００７５】
以上説明したように、本発明により、定められた運行経路と運行時刻に基づいて道路上を移動する路線バスなどに関する経路案内用データ（時刻表）を作成する経路案内用データ作成装置を提供することができ、また作成した経路案内用データを用いて探索および経路案内を行う経路案内配信装置を提供することができるようになる。
【図面の簡単な説明】
【００７６】
【図１】本発明に係る経路案内データ作成装置およびその周辺装置の構成を示す概略構成図である。
【図２】図１の経路案内データ作成装置の構成を示すブロック図である。
【図３】車両から取得した運行データの一例を示す図である。
【図４】運行データ処理部の処理手順を説明するための図である。
【図５】運行データ処理部の処理手順を示すフローチャートである。
【図６】経路案内用データを記憶するデータベースの構成を示す概念図である。
【図７】経路案内配信装置およびその周辺装置の構成を示す概略構成図である。
【図８】従来の携帯電話を端末として用いたナビゲーションシステムの構成を示すブロック図である。
【図９】路線バスの停留所に掲示された従来の運行予定表を示す図である。
【符号の説明】
【００７７】
１０・・・経路案内用データ作成装置
１０１・・・制御手段
１０２・・・内部バス
１１・・・運行データ取得手段
１２・・・運行データ処理手段
１３・・・一時記憶手段
１４・・・操作入力手段
１５・・・経路案内配信手段
１６・・・データベース（ＤＢ）制御手段
１７・・・入出力インタフェース
２０・・・経路案内用データベース
３０・・・移動体無線通信装置
３１・・・停留所センサ
４１・・・移動体通信網
４２・・・インターネット網
５０・・・運行管理センター（CPUシステム）
６０・・・経路案内配信装置
７０・・・携帯端末
８０、９０・・・情報配信コンピュータシステム
【図１】
2005164474.tif 000003
【図２】
2005164474.tif 000004
【図３】
2005164474.tif 000005
【図４】
2005164474.tif 000006
【図５】
2005164474.tif 000007
【図６】
2005164474.tif 000008
【図７】
2005164474.tif 000009
【図８】
2005164474.tif 000010
【図９】
2005164474.tif 000011